(57)【特許請求の範囲】
【請求項１】
カバー部材と胴と裏蓋とを有し、金属部を有するケースと、
前記ケースの内部に配置された指針と、文字板と、ムーブメントとを有し、
前記ムーブメントは、
前記文字板の平面中心位置に配置されて前記指針が取り付けられる指針軸と、
前記カバー部材側から見た平面視において、前記指針軸と前記胴との間に配置され、アンテナ電極部を有する平面アンテナと、
前記指針軸を駆動するモーターと、
前記カバー部材側から見た平面視において、前記モーターと重なり、前記平面アンテナとは重ならない耐磁板と、を備え、
前記アンテナ電極部と前記ケースの金属部との最短距離は、
前記アンテナ電極部と前記耐磁板との最短距離よりも大きい
ことを特徴とする電子時計。
【請求項２】
請求項１に記載の電子時計において、
前記ケースの金属部の前記カバー部材側の端部は、前記アンテナ電極部よりも前記カバー部材側に配置される
ことを特徴とする電子時計。
【請求項３】
請求項１または請求項２に記載の電子時計において、
前記アンテナ電極部と前記平面視において重ならない太陽電池パネルを備え、
前記アンテナ電極部と前記ケースの金属部との最短距離は、
前記アンテナ電極部と前記太陽電池パネルの電極部との最短距離よりも大きい
ことを特徴とする電子時計。
【請求項４】
請求項３に記載の電子時計において、
前記アンテナ電極部と前記耐磁板との最短距離は、
前記アンテナ電極部と前記太陽電池パネルの電極部との最短距離よりも大きい
ことを特徴とする電子時計。
【請求項５】
請求項１から請求項４のいずれか一項に記載の電子時計において、
前記平面アンテナと前記平面視において重ならない電池を備え、
前記アンテナ電極部と前記ケースの金属部との最短距離は、
前記アンテナ電極部と前記電池との最短距離よりも大きい
ことを特徴とする電子時計。
【請求項６】
請求項１に記載の電子時計において、
前記モーターを支持する地板を有し、
前記耐磁板は、
前記地板の前記カバー部材側に配置される第１耐磁板と、
前記地板の前記裏蓋側に配置される第２耐磁板とを備え、
前記アンテナ電極部と前記第１耐磁板との最短距離は、前記アンテナ電極部と前記第２耐磁板との最短距離よりも大きい
ことを特徴とする電子時計。
【請求項７】
請求項１から請求項６のいずれか一項に記載の電子時計において、
前記平面アンテナは、パッチアンテナである
ことを特徴とする電子時計。
【発明の詳細な説明】
【技術分野】
【０００１】
本発明は電子時計に関し、特に平面アンテナを備える電子時計に関する。
【背景技術】
【０００２】
ＧＰＳ（Global Positioning System）等の位置情報衛星から送信される電波を受信す
る平面アンテナを有する電子時計が知られている（特許文献１）。
この電子時計では、時計の文字板の裏面側に、光発電素子と平面アンテナとを配置し、前記文字板に直交する垂直方向において、平面アンテナと光発電素子とは重ならないように配置している。そして、文字板の延在方向において、平面アンテナと光発電素子とを十分に離間させることで、アンテナの感度劣化を抑制していた。
【先行技術文献】
【特許文献】
【０００３】
【特許文献１】特開２０１４−１５７１６０号公報
【発明の概要】
【発明が解決しようとする課題】
【０００４】
ところで、電子時計では、外部磁界によるモーターなどへの影響を防止、軽減するために、ムーブメント内に耐磁板が組み込まれることがある。このため、金属部分を有するケースと、耐磁板と、平面アンテナを有する電子時計において、アンテナの感度劣化を抑制できる電子時計が求められていた。
【０００５】
本発明の目的は、金属部分を有するケースと、耐磁板と、平面アンテナとを備え、平面アンテナの感度劣化を抑制できる電子時計を提供することにある。
【課題を解決するための手段】
【０００６】
本発明の電子時計は、少なくとも一部に金属部を有するケースと、前記ケース内に配置された指針およびムーブメントとを有し、前記ムーブメントは、回路基板と、前記回路基板に取り付けられる平面アンテナと、前記指針を駆動するモーターと、前記モーターの少なくとも一部と平面的に重なり、前記平面アンテナとは平面的に重ならない耐磁板と、を備え、前記平面アンテナのアンテナ電極部と前記ケースの金属部との最短距離は、前記アンテナ電極部と前記耐磁板との最短距離よりも大きいことを特徴とする。
【０００７】
本発明の電子時計は、少なくとも一部に金属部を有するケースと、耐磁板と、平面アンテナとを備える。ケースの金属部および耐磁板は金属材料であるため、電波を遮蔽する効果が高い。特に、ケースは時計の厚さ方向に沿った厚さ寸法が大きいため、平面アンテナの受信感度への影響も大きい。本発明では、平面アンテナのアンテナ電極部からケースの金属部までの距離を、アンテナ電極部から耐磁板までの距離よりも大きくしているので、アンテナ電極部とケースの金属部とを比較的大きく離すことができ、ケースによる受信感度の劣化を軽減できる。
したがって、金属部を有するケース内に、耐磁板および平面アンテナを配置した際に、平面アンテナの受信感度の劣化を抑制できる電子時計を提供できる。
【０００８】
本発明の電子時計において、前記ケースの金属部の時計表面側の端部である上端部は、前記アンテナ電極部よりも前記時計表面側に配置されることが好ましい。
【０００９】
ケースの金属部の上端部をアンテナ電極部よりも時計表面側（風防ガラス側）に配置できるので、ケースの胴やベゼルを金属製とすることができる。したがって、金属製ケースを用いた電子時計を構成でき、時計のデザインに高級感を与えるなど美観を向上させることができる。また、金属製の外装ケースは、例えば合成樹脂製ケースに比べて耐久性に優れるので、表面に傷がつきにくく、さらには、内部のムーブメントを保護できる。
【００１０】
本発明の電子時計において、前記アンテナ電極部と平面的に重ならない太陽電池パネルを備え、前記アンテナ電極部と前記ケースの金属部との最短距離は、前記アンテナ電極部と前記太陽電池パネルの電極部との最短距離よりも大きいことが好ましい。
【００１１】
本発明では、平面アンテナのアンテナ電極部からケースの金属部までの距離を、アンテナ電極部から太陽電池パネルの電極部までの距離よりも大きくしているので、ケースによる受信感度の影響を軽減できる。
したがって、金属部を有するケース内に、耐磁板、太陽電池パネルおよび平面アンテナを配置した際に、平面アンテナの受信感度の劣化を抑制できる電子時計を提供できる。
【００１２】
本発明の電子時計において、前記アンテナ電極部と前記耐磁板との最短距離は、前記アンテナ電極部と前記太陽電池パネルの電極部との最短距離よりも大きいことが好ましい。
【００１３】
本発明では、平面アンテナのアンテナ電極部から耐磁板までの距離を、アンテナ電極部から太陽電池パネルの電極部までの距離よりも大きくしているので、耐磁板による受信感度の影響を軽減できる。耐磁板は、太陽電池パネルの電極部よりも厚さ寸法が大きく、平面アンテナの感度劣化に対する影響は、太陽電池パネルの電極部よりも大きい。したがって、平面アンテナのアンテナ電極部を、太陽電池パネルの電極部よりも耐磁板から離して配置すれば、アンテナ電極部に対して、太陽電池パネルの電極部よりも耐磁板を近づけて配置した場合に比べて、平面アンテナの感度劣化を抑制できる。
【００１４】
本発明の電子時計において、前記平面アンテナと平面的に重ならない電池を備え、前記アンテナ電極部と前記ケースの金属部との最短距離は、前記アンテナ電極部と前記電池との最短距離よりも大きいことが好ましい。
【００１５】
本発明では、平面アンテナのアンテナ電極部を、電池よりもケースの金属部から離して配置できるので、ケースの金属部による受信感度の影響を軽減できる。電池は、ケースに比べて厚さ寸法が小さく、また、時計の厚さ方向の位置がアンテナ電極部よりも裏蓋側に配置されることが多い。このため、電池は、ケースに比べて平面アンテナの感度劣化に対する影響が小さい。したがって、平面アンテナのアンテナ電極部を、電池よりもケースから離して配置すれば、アンテナ電極部に対して、電池よりもケースを近づけて配置した場合に比べて、平面アンテナの感度劣化を抑制できる。
【００１６】
本発明の電子時計において、前記耐磁板は、前記モーターよりも時計表面側に配置される第１耐磁板と、前記モーターよりも時計裏面側に配置される第２耐磁板とを備え、前記アンテナ電極部と前記第１耐磁板との最短距離は、前記アンテナ電極部と前記第２耐磁板との最短距離よりも大きいことが好ましい。
【００１７】
本発明によれば、アンテナ電極部と第１耐磁板との最短距離を、アンテナ電極部と第２耐磁板との最短距離よりも大きくしているので、アンテナ電極部よりも時計表面側に配置されて、受信性能に影響しやすい第１耐磁板を離して配置でき、受信性能の低下を防止できる。また、第２耐磁板の面積を大きくでき、耐磁性能を向上できる。したがって、受信性能および耐磁性能を両立しやすくできる。
【図面の簡単な説明】
【００１８】
【図１】本発明の第１実施形態に係る電子時計を示す概略図。
【図２】前記電子時計の平面図。
【図３】前記電子時計の断面図。
【図４】前記電子時計の分解斜視図。
【図５】前記電子時計のムーブメントの要部を示す平面図。
【図６】前記電子時計の回路基板および平面アンテナを示す概略斜視図。
【図７】前記電子時計の平面アンテナの構造を示す断面図。
【図８】前記電子時計の平面アンテナの放射パターンを示す特性図。
【図９】前記電子時計のアンテナ電極部と金属製部品との位置関係を説明する概略断面図。
【図１０】前記電子時計のアンテナ電極部と金属製部品との位置関係を説明する概略平面図。
【図１１】前記電子時計の回路構成を示すブロック図。
【図１２】本発明の第２実施形態に係る電子時計の断面図。
【図１３】本発明の第３実施形態に係る電子時計の断面図。
【図１４】本発明の第４実施形態に係る電子時計の平面図。
【図１５】第４実施形態に係る電子時計のムーブメントの要部を示す平面図。
【図１６】第４実施形態に係る電子時計の断面図。
【図１７】第４実施形態に係る電子時計の断面図。
【図１８】第４実施形態に係る電子時計の分解斜視図。
【図１９】本発明の変形例に係る電子時計の断面図。
【発明を実施するための形態】
【００１９】
［第１実施形態］
以下、本発明に係る第１実施形態の電子時計１を図面に基づいて説明する。本実施形態では、電子時計１のカバーガラス３１側を表面側（上側）とし、裏蓋１２側を裏面側（下側）として説明する。
本実施形態の電子時計１は、後述するように、地球の上空を所定の軌道で周回している複数のＧＰＳ衛星や準天頂衛星などの位置情報衛星Ｓからの衛星信号を受信して衛星時刻情報を取得し、内部時刻情報を修正できるように構成されている。
【００２０】
図１、２に示すように、電子時計１は、文字板２および指針３を有する時刻表示用の時刻表示部９Ａと、文字板２のサブダイヤル２Ａおよび指針４を有する情報表示部９Ｂと、文字板２の日窓２Ｂおよび日車５を有するカレンダー表示部９Ｃとを備える腕時計である。電子時計１には、外部操作用のリューズ６、ボタン７，８が設けられている。
指針３は、秒針３Ｂ、分針３Ｃ、時針３Ｄを備えて構成される。したがって、時刻表示部９Ａは、文字板２および指針３で現時刻を指示する。サブダイヤル２Ａおよび指針（小針）４からなる情報表示部９Ｂは、時計のモードや曜日や電池残量、受信状態等の情報を表示する。カレンダー表示部９Ｃは、本日の日付を表示する。
これらの指針３，４および日車５は、後述するステップモーター２２１〜２２４および輪列２２６を介して駆動される。
【００２１】
文字板２は、ポリカーボネートなどの非導電性部材にて円板状に形成されている。サブダイヤル２Ａは文字板２の８時位置に設けられ、日窓２Ｂは文字板２の３時位置に設けられている。文字板２には、図３および図４に示すように、サブダイヤル２Ａ、日窓２Ｂの他、指針３の指針軸３Ａが挿通される貫通孔２Ｃと、指針４の指針軸４Ａが挿通される貫通孔２Ｄも形成されている。貫通孔２Ｃは、文字板２の平面中心位置に形成されている。貫通孔２Ｄは、前記貫通孔２Ｃと文字板２の８時位置を示す目盛とを結ぶ線上またはその近辺に形成されている。
【００２２】
［電子時計の外装構造］
図２、図３に示すように、電子時計１は、後述するムーブメント２０等を収容する外装ケース１０を備える。なお、図３は、文字板２の６時位置および１２時位置を結ぶ線に沿った断面図である。
外装ケース１０は、ケース本体１１と、裏蓋１２と、カバーガラス３１を備える。ケース本体１１は、円筒状の胴１１１と、胴１１１の表面側に設けられたベゼル１１２とを備える。
ベゼル１１２は、リング状に形成されている。そして、ベゼル１１２と胴１１１とは、互いの対向面に形成された凹凸による嵌め合わせ構造あるいは両面粘着テープや接着剤等の手段により接続されている。なお、ベゼル１１２は、胴１１１に対して回転可能に取り付けられていてもよい。
また、ベゼル１１２の内側には、ベゼル１１２によって保持されたカバーガラス３１が取り付けられている。
【００２３】
ケース本体１１の裏面側には、ケース本体１１の裏面側の開口を塞ぐ円板状の裏蓋１２が設けられている。裏蓋１２は、ケース本体１１の胴１１１にねじ構造により接続される。
なお、本実施形態では、胴１１１と裏蓋１２とは、別体で構成されているが、これに限らず、胴１１１および裏蓋１２が一体化されたワンピースケースでもよい。
胴１１１、ベゼル１１２、裏蓋１２には、ＳＵＳ（ステンレス鋼）、チタン合金、アルミ、ＢＳ（真鍮）などの金属材料が利用される。
【００２４】
［電子時計の内部構造］
次に、電子時計１の外装ケース１０に内蔵される内部構造について説明する。
図３に示すように、外装ケース１０内には、文字板２の他、ムーブメント２０、平面アンテナ（パッチアンテナ）４０、日車５、ダイヤルリング３２等が収容される。
【００２５】
ムーブメント２０は、図４にも示すように、地板２１、輪列受け２７、地板２１および輪列受け２７に支持される駆動体２２、回路基板２３、二次電池２４、太陽電池パネル２５、耐磁板９１、９２を備える。
地板２１は、プラスチック等の非導電性部材にて形成されている。地板２１は、駆動体２２を収容する駆動体収容部２１Ａと、日車５が配置される日車配置部２１Ｂと、平面アンテナ４０を収容するアンテナ収容部２１Ｃとを備える。日車配置部２１Ｂは、地板２１の表面に突出されたガイド部２１１の外周側の領域で構成されている。
【００２６】
駆動体収容部２１Ａおよびアンテナ収容部２１Ｃは、地板２１の裏面側に設けられている。アンテナ収容部２１Ｃは、図３にも示すように、平面形状が矩形状に構成された平面アンテナ４０の４つの側面に各々対向する４つの壁部２１４（図３には２つのみ図示）と、平面アンテナ４０の表面に対向する被覆部２１５とを備える。本実施形態の被覆部２１５は、平面アンテナ４０の表面全体を被覆しているが、平面アンテナ４０のアンテナ電極部４２の少なくとも一部と平面的に重なる貫通孔を被覆部２１５に形成してもよい。なお、４つの壁部２１４および被覆部２１５は地板２１に一体化して形成されている。
アンテナ収容部２１Ｃは、平面位置が文字板２の１２時位置であるため、図２に示すように、平面アンテナ４０は１２時位置に配置されている。具体的には、平面アンテナ４０は、指針３の指針軸３Ａとケース本体１１との間であり、かつ、文字板２の略１１時位置から略１時位置の範囲に配置されている。
【００２７】
駆動体２２は、地板２１の駆動体収容部２１Ａに収容され、時刻表示部９Ａ、情報表示部９Ｂ、カレンダー表示部９Ｃの各指針３，４、日車５を駆動する。すなわち、駆動体２２は、図５に示すように、秒針３Ｂを駆動するステップモーター２２１および第１輪列２２６（図３）と、分針３Ｃを駆動する第２ステップモーター２２２および第２輪列（図示略）と、時針３Ｄを駆動する第３ステップモーター２２３および第３輪列（図示略）と、指針４および日車５の駆動に兼用される第４ステップモーター２２４および第４輪列（図示略）とを有する。第４輪列は、日車５を回転する日回し車２２８（図４）を有する。
これらのステップモーター２２１〜２２４は、平面アンテナ４０と平面的に重ならない領域に配置されている。
【００２８】
［耐磁板］
近年、スマートフォンなどの携帯端末用のケースに、高性能な磁石が多く使われるようになり、腕時計にも耐磁性が求められている。このため、外部磁界を迂回させて、ステップモーター２２１〜２２４の誤動作を防止するために、図３，４に示すように、純鉄などの高透磁率材からなる耐磁板９１、９２が、平面的にステップモーター２２１〜２２４と重なる位置に配置されている。なお、各ステップモーター２２１〜２２４は、コアに巻回されたコイルと、ステーターと、ローターとを備える。これらのうち、コイル部分は外部磁界の影響を受けにくいので、耐磁板９１、９２とは必ずしも平面的に重ならなくてもよい。従って、耐磁板９１、９２は、ステップモーター２２１〜２２４の少なくとも一部に平面的に重なり、特に、ステーターやローターと平面的に重なることが好ましい。
耐磁板９１は、図３、４に示すように、地板２１の時計表面側（カバーガラス３１側）に配置されている。この耐磁板９１は、ステップモーター２２１〜２２４の表面（文字板２側の面）をほぼ覆うように配置される。
耐磁板９１には、図４に示すように、前記ガイド部２１１が配置される開口部９１１や、日回し車２２８が配置される開口部９１２や、指針軸３Ａ、４Ａが配置される開口部９１３、９１４が形成されている。
耐磁板９１において、前記平面アンテナ４０と平面視で重なる領域は切り欠かれて切欠部９１５とされている。このため、耐磁板９１は、平面アンテナ４０の表面側には配置されず、平面アンテナ４０は、耐磁板９１の切欠部９１５を通して電波を受信できる。
【００２９】
耐磁板９２は、図３、４に示すように、地板２１の時計裏面側（裏蓋１２側）であり、二次電池２４よりも時計表面側に配置されている。具体的には、地板２１の時計裏面側には、各輪列の軸受を有する輪列受け２７が配置され、この輪列受け２７の時計裏面側に耐磁板９２が配置されている。これにより、耐磁板９２は、ステップモーター２２１〜２２４の裏面（裏蓋１２側の面）をほぼ覆うように配置される。
耐磁板９２においても、前記平面アンテナ４０と平面視で重なる領域は切り欠かれて切欠部９２５とされている。
【００３０】
［回路基板］
本実施形態の電子時計１は、ＧＰＳ受信用の回路基板２３と、時計駆動制御用の回路基板（図示略）の２枚の回路基板が配置されている。時計駆動制御用の回路基板（図示せず）には、受信用の回路基板２３からの信号を受信して、モーターを制御する時計制御ＩＣ（ＣＰＵ）６１（図１１）及び時計駆動制御ＩＣ（駆動回路）６２（図１１）が実装されている。
ＧＰＳ受信用の回路基板２３は、図４、６にも示すように、平面略円形に形成され、かつ、二次電池２４が配置される略円形の切欠部２３１が形成されている。この切欠部２３１に二次電池２４を配置することで、電子時計１を薄型化できる。回路基板２３の表面側には、平面アンテナ（パッチアンテナ）４０が実装されている。また、回路基板２３の表面側には、図６に示すように、ＧＰＳ衛星Ｓから受信した衛星信号を処理する受信部５０（受信素子、受信用ＩＣ、ＧＰＳモジュール）と、電源用ＩＣ７５と、メモリー用ＩＣ７６などが実装されている。メモリー用ＩＣ７６は、フラッシュメモリーで構成され、ＧＰＳ受信用のファームウェアのプログラムや、測位受信処理において算出した位置情報からタイムゾーンを判別するためのタイムゾーンデータが記憶されている。
【００３１】
本実施形態では、ムーブメント２０が金属製のケース本体１１に収納されており、電波が遮蔽されやすい。このため、受信性能を高めるためには、平面アンテナ４０はなるべく文字板２に近い位置に配置することが好ましい。このため、平面アンテナ４０が固定される回路基板２３も文字板２に近い位置が好ましい。
【００３２】
［二次電池］
二次電池２４は、図３〜５に示すように、平面円形に形成されたボタン型のリチウムイオン電池である。二次電池２４は、駆動体２２、受信部５０等に電力を供給する。二次電池２４は、回路基板２３の切欠部２３１に設けられ、平面視において、平面アンテナ４０、受信部５０、電源用ＩＣ７５と重ならない位置、具体的には、文字板２の６時位置側に配置されている。
一方、二次電池２４は、ステップモーター２２１，２２３，２２４や輪列の一部とは平面的に重なって配置される。二次電池２４の厚さ寸法（時計厚さ方向の寸法）は、二次電池２４の直径（裏蓋１２に沿った方向の寸法）に比べて小さい、扁平な形状とされており、さらに回路基板２３の切欠部２３１に配置されている。このため、二次電池２４がステップモーターや輪列の一部と平面的に重なって配置されていても、電子時計１を薄型化できる。
【００３３】
［太陽電池パネル］
太陽電池パネル２５は、電極部として表面電極や裏面電極を有する。表面電極は、光を通すためにＩＴＯ（Indium Tin Oxide）などの透明電極で形成されている。また、樹脂フィルムで構成されたベース上に、発電層としてアモルファスシリコン半導体の薄膜が形成されている。
ＧＰＳ衛星信号の周波数は、約１．５ＧＨｚであり、高周波であるため、電波時計で受信する長波の標準電波と異なり、ソーラーパネルの薄い透明電極でも電波は減衰し、アンテナ特性が低下する。このため、図４に示すように、円板状に形成された太陽電池パネル２５は、平面アンテナ４０と平面視で重なる部分に切欠部２５１が形成されている。太陽電池パネル２５は、地板２１の表面側に配置され、平面アンテナ４０の表面側には配置されていない。したがって、平面アンテナ４０は、太陽電池パネル２５の切欠部２５１を通して電波を受信できる。
なお、太陽電池パネル２５には、文字板２の日窓２Ｂと平面的に重なる開口２５２や、指針３，４の指針軸３Ａ，４Ａが挿通される孔２５３，２５４が形成されている。
さらに、太陽電池パネル２５は、複数のセルに分割され、各セルは直列に接続されている。本実施形態の太陽電池パネル２５は、図４に示すように、７個のソーラーセルを有し、各ソーラーセルが直列に接続されている。１つのソーラーセルでの起電圧は約０．６Ｖ以上である。このため、７個のソーラーセルを直列に接続すれば、約０．６Ｖ×７段＝約４．２Ｖ以上の起電圧が得られる。したがって、起電圧が大きなリチウムイオン二次電池を充電でき、ＧＰＳ受信装置（ＧＰＳモジュール）などの消費電流の大きなデバイスを内蔵できる。
【００３４】
［日車］
地板２１の日車配置部２１Ｂには、リング状に形成され、表面に日付が表示されたカレンダー車である日車５が配置される。日車５は、プラスチック等の非導電性部材により形成されている。ここで、日車５は、平面視において、平面アンテナ４０の少なくとも一部と重なっている。なお、カレンダー車としては、日車に限らず、曜日を表示する曜車や、月を表示する月車などでもよい。
【００３５】
［文字板］
地板２１の表面側には、太陽電池パネル２５および日車５の表面側を覆って、文字板２が配置される。文字板２は、非導電性を有し、かつ、少なくとも一部の光を透過させる透光性を有するプラスチックなどの材料で形成されている。
ここで、平面視において平面アンテナ４０と重なる文字板２の表面に、略字等を設けることができる。この場合、平面アンテナ４０の受信性能を向上させるため、これらのパーツは、金属製ではなく、プラスチック等の非導電性部材にて形成することが好ましい。一方、平面アンテナ４０と平面的に重ならないサブダイヤル２Ａや略字は、金属パーツを用いることができる。
また、文字板２は、透光性を有するため、時計の表面側から見て、文字板２の裏面側に配置された太陽電池パネル２５が透けて見える。このため、太陽電池パネル２５が配置されている領域と配置されていない領域とで、文字板２の色が違って見える。この色の違いが目立たないように、文字板２にはデザイン的なアクセントをつけてもよい。
さらに、太陽電池パネル２５に切欠部２５１を形成したことで、切欠部２５１に重なる部分の文字板２の色調が他の部分と違って見えることがある。それを防止するために太陽電池パネル２５と同色（例えば紺色や紫色）のプラスチックシートを太陽電池パネル２５の下に重ねてもよいし、太陽電池パネル２５全体を切り欠かずに、電波遮蔽する電極層を平面アンテナ４０と平面的に重なる部分のみ取り除いて、基材となる樹脂フィルム層を残して色調を合わせてもよい。
【００３６】
［ダイヤルリング］
文字板２の表面側には、非導電性部材である合成樹脂（例えばＡＢＳ樹脂）にて形成されたリング部材であるダイヤルリング３２が設けられる。ダイヤルリング３２は、文字板２の周囲に沿って配置され、内周面が傾斜面（円錐面）とされ、この傾斜面には時字マークやワールドタイムの時差などの目盛が印刷されている。ダイヤルリング３２をプラスチックで成形すれば、受信性能も確保でき、かつ、複雑な形状も形成できて意匠性を向上できる。このダイヤルリング３２は、ベゼル１１２によって文字板２側へ押しつけられて保持されている。したがって、本実施形態の時刻表示部９Ａは、カバーガラス３１側から見た平面視で、指針３および指針３の指示する目盛が視認される領域で構成され、具体的には、文字板２においてダイヤルリング３２で区画される露出面と、指針３と、ダイヤルリング３２においてベゼル１１２で区画される露出面とで構成される。すなわち、時刻表示部９Ａは、電子時計１をカバーガラス３１側から見た平面視で、ベゼル１１２の内周面で区画された円形部分で構成されている。
【００３７】
［平面アンテナ］
地板２１のアンテナ収容部２１Ｃには、パッチアンテナ（マイクロストリップアンテナ）である平面アンテナ４０が配置される。平面アンテナ４０は、ＧＰＳ衛星Ｓからの衛星信号を受信するものである。
平面アンテナ４０は、平面視において、ケース本体１１（胴１１１およびベゼル１１２）、太陽電池パネル２５、耐磁板９１，９２とは重ならずに、非導電性部材にて形成された日車５、文字板２、カバーガラス３１と重なっている。すなわち、電子時計１では、平面アンテナ４０の時計表面側において、平面視で平面アンテナ４０と重なる部品はすべて非導電性部材にて形成されている。
このため、時計表面側から伝播されてくる衛星信号は、カバーガラス３１を透過した後、ケース本体１１、耐磁板９１、９２、太陽電池パネル２５によって遮られることなく、文字板２、日車５、地板２１を透過して平面アンテナ４０に入射する。なお、指針３，４は平面アンテナ４０と重なる面積が小さいことから、金属製であっても衛星信号の受信に支障ないが、非導電性部材であれば衛星信号が遮断される影響をより回避できる点で好ましい。
【００３８】
ＧＰＳ衛星Ｓは、右旋円偏波で衛星信号を送信している。そのため、本実施形態の平面アンテナ４０は、円偏波特性に優れるパッチアンテナ（マイクロストリップアンテナともいう）で構成されている。
本実施形態の平面アンテナ４０は、図７に示すように、セラミックの誘電体基材４１に導電性のアンテナ電極部４２を積層したパッチアンテナである。
この平面アンテナ４０は、次のようにして製造できる。まず、比誘電率が６０〜１００程度のチタン酸バリウムを主原料にプレス機で目的の形に成形し、焼成を経てアンテナの誘電体基材４１となるセラミックスを完成する。誘電体基材４１の裏面（回路基板２３側の面）には、主に銀（Ag）等のペースト材をスクリーン印刷すること等で、アンテナのグランド（ＧＮＤ）となるＧＮＤ電極４３を構成する。
誘電体基材４１の表面（地板２１、文字板２側の面）には、アンテナの周波数、受信する信号の偏波を決めるアンテナ電極部４２をＧＮＤ電極４３と同様な方法で構成する。アンテナ電極部４２は、誘電体基材４１の表面よりも一回り小さく形成されており、誘電体基材４１の表面においてアンテナ電極部４２の周囲には、アンテナ電極部４２が積層されていない露出面４１１が設けられる。
誘電体基材４１は、例えば、表面形状は略正方形状であり、一辺の寸法は約１１ｍｍである。アンテナ電極部４２は、例えば、表面形状は略正方形状であり、一辺の寸法は約８〜９ｍｍである。誘電体基材４１の四隅は、図６に示すように、割れ防止のためにコーナーカットしているが、コーナーカットしていないものを用いてもよい。
【００３９】
図７は、平面アンテナ（パッチアンテナ）４０の原理説明図であり、点線４５は、平面アンテナ４０で送信または受信する電波を示し、矢印４６は電気力線を示す。
パッチアンテナが方形の場合は、アンテナ電極部４２の一辺が半波長で共振し、円形の場合は直径が約０．５８波長で共振するが、セラミックなどの誘電体を使うと波長短縮効果で小形化できる。パッチアンテナの動作原理は、パッチ（アンテナ電極部４２）の縁に沿った強い電界が、縁から空間へ向かって放射されるため（送信アンテナとして用いた場合）、アンテナ近傍の電気力線は強くなり、近傍の金属や誘電体の影響を受けやすい。特に、ＧＮＤ（グランド）となる回路基板２３より上方（カバーガラス３１側）に位置する金属部の影響は大きい。このため、ＧＰＳ受信においては、金属製の胴１１１とアンテナ電極部４２との距離は少なくとも２ｍｍ、理想的には３ｍｍ以上離す必要がある。
本実施形態では、平面アンテナ４０と、胴１１１との間には、前記壁部２１４等が配置されており、後述するように、平面アンテナ４０は胴１１１の内周面から所定寸法以上、離間した位置に配置される。このため、平面アンテナ４０を金属製の胴１１１に近づけることで生じる受信特性の劣化等を抑制でき、電子時計１に求められる受信性能を確保できる。本実施形態の平面アンテナ４０は、誘電体基材４１およびアンテナ電極部４２が平面略矩形状に形成されている。
【００４０】
図８は平面アンテナ４０の放射パターンを示す特性図であり、平面アンテナ（パッチアンテナ）４０の平面方向をＸ軸とし、天頂方向をＺ軸とする。
平面アンテナ４０は、図８に示すように、天頂方向であるＺ軸方向のアンテナ利得が最も高い単一指向性を有するため、文字板２に対して垂直方向に入射する無線電波を最も受信しやすい。また、平面アンテナ４０の側面方向であるＸ軸方向の指向性は、Ｚ軸方向に比べれば小さいがある程度の強さを有するため、平面アンテナ４０の側面に金属製のケース本体１１（胴１１１）が近接配置されると受信性能に影響が出てしまう。
一方、平面アンテナ４０の下面方向である−Ｚ軸方向の指向性は弱いため、周囲に一様な指向性を有する逆Ｆ型アンテナなどの線状アンテナと比べて、金属製の部品や裏蓋１２が下面側に配置されていても受信性能には影響し難い。このため、金属製ケースとの相性がよく、本実施形態のような外装ケース１０にも組み込みやすい。
なお、本実施形態の電子時計１は、ユーザーの腕に装着されて様々な姿勢で衛星信号を受信するため、平面アンテナ４０は図８に示すように、天頂方向以外にもなるべく指向性を持つことが理想である。したがって、ベゼル１１２やダイヤルリング３２を非導電性部材で構成すれば、平面アンテナ４０の指向性を改善できる。
【００４１】
この平面アンテナ４０は、回路基板２３の表面に実装され、回路基板２３に実装された受信部５０であるアンテナＧＰＳモジュールに電気的に接続される。さらに、平面アンテナ４０のＧＮＤ電極４３を回路基板２３のグランドパターンを介して受信部５０のグランド部に導通させることで、回路基板２３はグランド板（グランドプレーン）として機能する。さらに、受信部５０のグランド部を、回路基板２３のグランドパターンを介して金属製の胴１１１や裏蓋１２に導通することで、胴１１１や裏蓋１２もグランドプレーンとして利用できる。
【００４２】
この平面アンテナ４０は、図３に示すように、回路基板２３を地板２１に固定することで、アンテナ収容部２１Ｃに配置される。平面アンテナ４０の誘電体基材４１は、セラミックで硬く欠けやすいため、地板２１との間にはスポンジなどの緩衝材４７が介在されている。このため、誘電体基材４１が地板２１に衝突して破損することを防止できる。
【００４３】
［アンテナ電極部と金属製部品との距離］
電子時計１において、平面アンテナ４０の周囲に配置される金属製部品と、アンテナ電極部４２との位置関係を、図９，１０を参照して説明する。本実施形態において、平面アンテナ４０の周囲に配置される金属製部品は、外装ケース１０のケース本体１１（胴１１１）、耐磁板９１、９２、太陽電池パネル２５の電極部、二次電池２４である。
アンテナ電極部４２とケース本体１１との最短距離をＤ１、アンテナ電極部４２と文字板２の裏面に配置される耐磁板９１との最短距離をＤ２、アンテナ電極部４２と輪列受け２７の裏面に配置される耐磁板９２との最短距離をＤ３、アンテナ電極部４２と太陽電池パネル２５の電極部との最短距離をＤ４、アンテナ電極部４２と二次電池２４との最短距離をＤ５とする。
前述のとおり、平面アンテナ４０は上面方向（カバーガラス３１の向かう方向）に指向性が強いため、平面アンテナ４０の受信感度は、前記各金属部品の中で最も厚さ寸法が大きく、平面アンテナ４０よりも時計表面側に配置される外装ケース１０の影響を受けやすい。このため、平面アンテナ４０のアンテナ電極部４２と、外装ケース１０との最短距離Ｄ１を大きくして、アンテナ電極部４２を外装ケース１０から離す必要がある。
一方、耐磁板９１は、高さ位置としては、平面アンテナ４０のカバーガラス３１側に配置されるが、厚さ寸法が０．２〜０．５ｍｍ程度と薄いため、厚さ寸法が大きい外装ケース１０に比べて受信感度の影響が小さい。このため、アンテナ電極部４２と耐磁板９１との最短距離Ｄ２は、最短距離Ｄ１よりも短くできる。
なお、アンテナ電極部４２とケース本体１１との最短距離Ｄ１は、図１０に示すように、ケース本体１１の内周面が円周状であるため、平面視では、アンテナ電極部４２の角部とケース本体１１の内周面との最短寸法Ｄ１Ｈである。
一方、アンテナ電極部４２と耐磁板９１との最短距離Ｄ２は、耐磁板９１の切欠部９１５がアンテナ電極部４２に沿って略矩形状であるため、平面視では寸法Ｄ２Ｈであるが、厚さ方向の高さ位置が異なるため、図９に示すように、斜めの寸法Ｄ２である。なお、他の最短距離Ｄ３，Ｄ４，Ｄ５においても、アンテナ電極部４２と厚さ方向の高さ位置が異なるため、図１０に示すように、平面視では寸法Ｄ３Ｈ、Ｄ４Ｈ、Ｄ５Ｈであるが、実際の最短寸法は図９に示すように斜め方向の寸法Ｄ３，Ｄ４，Ｄ５である。
【００４４】
太陽電池パネル２５の電極部も、高さ位置としては、平面アンテナ４０よりも時計表面側に位置するが、厚さ寸法が０．１〜０．２ｍｍ程度であり、耐磁板９１と比べても薄いため、受信感度への影響は比較的小さい。このため、アンテナ電極部４２と太陽電池パネル２５の電極部との最短距離Ｄ４は、最短距離Ｄ１よりも短くできる。
さらに、耐磁板９２は、高さ位置がアンテナ電極部４２よりも裏蓋側にあり、厚さ寸法も０．２〜０．５ｍｍ程度と薄いため、外装ケース１０に比べて受信感度の影響が小さい。したがって、アンテナ電極部４２と耐磁板９２との最短距離Ｄ３は、最短距離Ｄ１よりも短くできる。
なお、二次電池２４は、ある程度厚さ寸法があり、また、レイアウト的にアンテナ電極部４２と離しやすいため、アンテナ電極部４２と二次電池２４との最短距離Ｄ５は、最短距離Ｄ１よりも長く設定される。すなわち、本実施形態では、Ｄ１＞Ｄ２、Ｄ１＞Ｄ４、Ｄ１＞Ｄ３であり、Ｄ５＞Ｄ１に設定される。
なお、平面アンテナ４０のアンテナ電極部４２よりもカバーガラス３１側の高さ位置に配置される耐磁板９１と太陽電池パネル２５の電極部とを比較すると、耐磁板９１のほうが厚さ寸法が大きいため、平面アンテナ４０の受信感度への影響が大きくなる。このため、Ｄ２＞Ｄ４に設定することが好ましい。一方、耐磁板９２や二次電池２４は、レイアウト的にアンテナ電極部４２と離しやすいため、本実施形態では、Ｄ２＜Ｄ３＜Ｄ５に設定している。すなわち、本実施形態では、アンテナ電極部４２に対する最短距離は、Ｄ５＞Ｄ１＞Ｄ３＞Ｄ２＞Ｄ４の順に小さくなるように設定している。なお、二次電池２４のレイアウトによっては、Ｄ１＞Ｄ５となるように設定してもよい。
【００４５】
［電子時計の回路構成］
図１１は、電子時計１の回路構成を示す概略図である。
電子時計１は、図１１に示すように、平面アンテナ４０と、フィルター（ＳＡＷ）３５と、受信部５０と、制御表示部６０と、電源供給部７０を含んで構成されている。
フィルター３５は、バンドパスフィルターであり、１．５ＧＨｚの衛星信号を通過させるものとなっている。また、平面アンテナ４０とフィルター３５との間に、受信感度を良好にするＬＮＡ（ローノイズアンプ）を別途組み込む構成としてもよい。
なお、フィルター３５が受信部５０内に組み込まれる構成としてもよい。
【００４６】
受信部５０は、フィルター３５を通過した衛星信号を処理するものであり、ＲＦ部（Radio Frequency：無線周波数）５１とベースバンド部５２を備える。
ＲＦ部５１は、ＰＬＬ回路５１１、ＶＣＯ（Voltage Controlled Oscillator）５１２、ＬＮＡ（Low Noise Amplifier）５１３、ミキサー５１４、ＩＦアンプ５１５、ＩＦフィルター５１６、ＡＤＣ（Ａ／Ｄ変換器）５１７等を備えている。
【００４７】
そして、フィルター３５を通過した衛星信号は、ＬＮＡ５１３で増幅された後、ミキサー５１４でＶＣＯ５１２の信号とミキシングされ、ＩＦ（Intermediate Frequency：中間周波数）にダウンコンバートされる。
ミキサー５１４でミキシングされたＩＦは、ＩＦアンプ５１５、ＩＦフィルター５１６を通り、ＡＤＣ（Ａ／Ｄ変換器）５１７でデジタル信号に変換される。
【００４８】
ベースバンド部５２は、ＤＳＰ（Digital Signal Processor）５２１、ＣＰＵ（Central Processing Unit）５２２、ＲＴＣ（リアルタイムクロック）５２３、ＳＲＡＭ（Static Random Access Memory）５２４を備えている。また、ベースバンド部５２には、温度補償回路付き水晶発振回路（ＴＣＸＯ）５３やフラッシュメモリー５４等も接続されている。
そして、ベースバンド部５２は、ＲＦ部５１のＡＤＣ５１７からデジタル信号が入力され、相関処理や測位演算等を行うことにより、衛星時刻情報や測位情報を取得できるようになっている。
なお、ＰＬＬ回路５１１用のクロック信号は、温度補償回路付き水晶発振回路（ＴＣＸＯ）５３から生成されるようになっている。
【００４９】
制御表示部６０は、制御部（ＣＰＵ）６１と、指針３，４等の駆動を実施する駆動回路６２と、時刻表示部および情報表示部等とを備えている。
制御部６１は、ＲＴＣ６１１、記憶部６１２を含んで構成されている。
ＲＴＣ６１１は、水晶振動子６３から出力される基準信号を用いて、内部時刻情報を計時している。
記憶部６１２は、受信部５０から出力される衛星時刻情報や測位情報を記憶する。また、記憶部６１２には、測位情報に対応する時差データも記憶され、ＲＴＣ６１１で計時されている内部時刻情報および時差データにより、現在地のローカルタイムを算出できるようにされている。
【００５０】
本実施形態の電子時計１は、上述のような受信部５０および制御表示部６０を備えていることで、ＧＰＳ衛星Ｓから受信した衛星信号に基づいて時刻表示を自動的に修正することができる。
【００５１】
電源供給部７０は、太陽電池パネル２５、充電制御回路７１、二次電池２４、第１レギュレーター７２、第２レギュレーター７３、電圧検出回路７４を含んで構成されている。
【００５２】
太陽電池パネル２５は、光が入射して発電すると、その光発電により得られる電力を、充電制御回路７１を通じて二次電池２４に供給して二次電池２４を充電する。
二次電池２４は、第１レギュレーター７２を介して制御表示部６０に駆動電力を供給し、第２レギュレーター７３を介して受信部５０に駆動電力を供給する。
電圧検出回路７４は、二次電池２４の電圧をモニターし、制御部６１に出力する。従って、制御部６１は、二次電池２４の電圧を把握して受信処理を制御できる。
【００５３】
［実施形態の作用効果］
電子時計１は、平面アンテナ４０のアンテナ電極部４２から金属製のケース本体１１までの最短距離Ｄ１を、アンテナ電極部４２から耐磁板９１までの最短距離Ｄ２よりも大きくしているので、アンテナ電極部４２と金属製のケース本体１１とを比較的大きく離すことができる。金属製のケース本体１１は、時計の厚さ方向に沿った寸法が大きいため、金属部品のなかで平面アンテナの受信感度への影響が最も大きい。従って、アンテナ電極部４２をケース本体１１から離すことができれば、ケース本体１１内に、耐磁板９１および平面アンテナ４０を配置した際に、平面アンテナ４０の受信感度の劣化を抑制できる。
【００５４】
また、アンテナ電極部４２とケース本体１１との距離を大きくできるため、金属製のケース本体１１の上端部、つまりベゼル１１２の上面を、アンテナ電極部４２よりも時計表面側（カバーガラス３１側）に配置できる。すなわち、平面アンテナ４０の指向性から、アンテナ電極部４２よりも時計表面側にある金属製部品は受信感度に影響するため、アンテナ電極部４２とケース本体１１との距離が近い場合には、ケース本体１１をプラスチック製などの受信感度に影響しない材質のもので構成しなければならない。これに対し、本実施形態では、金属製のケース本体１１を用いることができ、ケース本体１１の胴１１１およびベゼル１１２を金属製とすることができる。したがって、金属製ケースを用いた電子時計１を構成でき、時計のデザインに高級感を与えるなど美観を向上させることができる。また、金属製の外装ケース１０は、例えば合成樹脂製ケースに比べて耐久性に優れるので、表面に傷がつきにくく、さらには、内部のムーブメント２０を保護できる。
【００５５】
電子時計１は、アンテナ電極部４２からケース本体１１までの最短距離Ｄ１を、アンテナ電極部４２から太陽電池パネル２５の電極部までの最短距離Ｄ４よりも大きくしているので、ケース本体１１による受信感度の影響を軽減できる。
したがって、ケース本体１１内に、耐磁板９１、太陽電池パネル２５および平面アンテナ４０を配置した際に、平面アンテナ４０の受信感度の劣化を抑制できる。
【００５６】
電子時計１は、アンテナ電極部４２から耐磁板９１までの最短距離Ｄ２を、アンテナ電極部４２から太陽電池パネル２５の電極部までの最短距離Ｄ４よりも大きくしているので、耐磁板９１による受信感度の影響を軽減できる。耐磁板９１は、太陽電池パネル２５の電極部よりも厚さ寸法が大きく、太陽電池パネル２５の電極部に比べて、平面アンテナ４０の感度劣化に対する影響が大きい。したがって、アンテナ電極部４２を、太陽電池パネル２５の電極部よりも耐磁板９１から離して配置すれば、耐磁板９１による影響を軽減でき、平面アンテナ４０の感度劣化を抑制できる。
【００５７】
平面アンテナ４０は、ステップモーター２２１〜２２４や二次電池２４と平面的に重ならずに配置できるので、誘電体基材４１を積層して構成できる。このため、腕時計サイズの電子時計１に組み込むために、平面サイズが小さな平面アンテナ４０を用いても受信性能を確保できる。平面アンテナ４０は、時刻表示部９Ａの文字板２と平面的に重なるが、文字板２は非導電性部材からなるため、平面アンテナ４０での受信性能を確保できる。また、指針３を導電性部材で構成した場合でも、針状で平面積が小さいため、受信性能への影響を最小限に抑えることができる。
したがって、受信性能を確保でき、かつ、薄型化できて腕時計に適した電子時計を提供できる。
【００５８】
平面視で文字板２の３時位置には、巻真やおしどり等の切換機構が配置されるため、時計部品の中で比較的大きな部品である平面アンテナ４０や二次電池２４を３時位置に配置すると電子時計１の平面サイズを大型化しなければならない。これに対し、本実施形態では、平面アンテナ４０および二次電池２４を、３時位置を避けて配置しているので、３時位置に配置される切換機構とレイアウト的に干渉せず、そのため電子時計１の平面サイズを小さくできる。
【００５９】
回路基板２３の切欠部２３１に二次電池２４を配置したので、回路基板２３の裏面側に電池を配置する場合に比べて電子時計１の厚さ寸法を小さくでき、電子時計１を薄型化できる。
【００６０】
外装ケース１０の一部、例えば、胴１１１やベゼル１１２、裏蓋１２を金属製にできるので、電子時計１の質感を向上できる。さらに、文字板２の外周に沿って配置されるダイヤルリング３２等のリング部材を非導電性部材で構成しているので、平面アンテナ４０は、時計のカバーガラス３１側から、文字板２やダイヤルリング３２、地板２１を通して衛星信号を受信でき、胴１１１、ベゼル１１２や裏蓋１２が金属製であっても受信性能を確保できる。
【００６１】
平面アンテナ４０と平面的に重ならない位置にサブダイヤル２Ａを設けているので、サブダイヤル２Ａの目盛等に金属製部品を用いることができ、意匠性を向上できる。
【００６２】
地板２１の被覆部２１５および誘電体基材４１の露出面４１１間に緩衝材４７を配置し、平面アンテナ４０の露出面４１１を緩衝材４７に当接させているので、電子時計１の厚さ方向（高さ方向）における平面アンテナ４０の位置を精度よく設定できる。このため、地板２１に対する平面アンテナ４０の位置精度を向上でき、位置精度のばらつきによるアンテナ周波数の変化量をさらに低減できてアンテナ特性をより安定化できる。
さらに、平面アンテナ４０の露出面４１１は、緩衝材４７に当接するため、被覆部２１５に直接接触することを防止でき、セラミックで形成された誘電体基材４１の破損を防止できる。
【００６３】
日車５を非導電性部材で形成したので、平面視において日車５を平面アンテナ４０と重ねて配置しても、衛星信号は日車５を透過してアンテナに入射するため、受信性能が低下することを防止できる。
また、日車５は、平面視において平面アンテナ４０と重なるため、日車５および平面アンテナ４０を避けて配置する指針３、４の指針軸３Ａ、４Ａの配置位置の自由度が高まり、電子時計１のデザイン自由度を向上できる。
【００６４】
平面アンテナ４０は、平面視において太陽電池パネル２５や耐磁板９１、９２と重ならないため、時計の表面側から伝播されてくる衛星信号は、太陽電池パネル２５や耐磁板９１で遮られることなく平面アンテナ４０に入射する。このため、受信性能を低下させることなく、太陽電池パネル２５および耐磁板９１を電子時計１に設けることができる。
【００６５】
時計の表面側から見た平面視において、平面アンテナ４０は、ケース本体１１（胴１１１およびベゼル１１２）と重なっていないため、時計の表面側から伝播されてくる衛星信号は、カバーガラス３１を透過した後、ケース本体１１で遮られることなく平面アンテナ４０に入射する。このため、受信性能を低下させることなく、ケース本体１１および裏蓋１２を金属等の導電性部材にて形成でき、電子時計１の質感を向上できる。
また、ベゼル１１２を導電性部材にて形成しているので、ベゼル１１２をセラミック製とした場合に比べて加工が容易になりデザインの自由度を向上でき、コストも低減できる。また、ベゼル１１２は金属製のため、セラミック製のベゼルに比べて小さな断面積で剛性を確保できる。このため、リング状のベゼル１１２の断面幅寸法を小さくでき、カバーガラス３１の平面サイズを大きくすることもでき、時計のデザインの自由度を向上できる。
【００６６】
胴１１１および裏蓋１２は、受信部５０のグランド部に接続されるため、グランドプレーンとして機能する。これにより、グランドプレーンの面積を大きくとることができ、アンテナ利得が向上してアンテナ特性を向上できる。
【００６７】
［第２実施形態］
次に、本発明の第２実施形態について、図１２を参照して説明する。なお、第２実施形態において、第１実施形態と同一または同様の構成には同一符号を付し、説明を省略する。
第２実施形態の電子時計１Ａは、外装ケース１０Ａとして、胴１１１Ａとベゼル１１２Ａとが一体とされた金属製のケース本体１１Ａを用いたものである。また、平面アンテナ４０のアンテナ電極部４２と、外装ケース１０Ａの内面との最短距離を大きくするため、外装ケース１０Ａにおいて平面アンテナ４０の周囲のみ、ケース内面を削る加工を施している。このため、図１２に示すように、図中右側の平面アンテナ４０に近い部分のケース本体１１Ａの肉厚寸法は、図中左側のケース本体１１Ａの肉厚寸法に比べて小さくされている。なお、その他の構成は、第１実施形態と同じであるため、説明を省略する。
【００６８】
第２実施形態の電子時計１Ａによれば、胴１１１Ａおよびベゼル１１２Ａを一体化したので、電子時計１Ａの部品数を減らすことができ、コストを低減できる。
さらに、外装ケース１０Ａのケース内面において、平面アンテナ４０の周囲の内面を削ったので、前記最短距離Ｄ１をより大きくできる。したがって、平面アンテナ４０とケース本体１１Ａとをより離すことができ、平面アンテナ４０の受信感度を向上できて衛星信号の受信性能を向上できる。
【００６９】
［第３実施形態］
次に、本発明の第３実施形態について、図１３を参照して説明する。なお、第３実施形態において、第１実施形態と同一または同様の構成には同一符号を付し、説明を省略する。
第３実施形態の電子時計１Ｂは、第１実施形態の二次電池２４に比べて平面サイズの小さな二次電池２４Ｂを用いている。すなわち、第１実施形態の二次電池２４の直径は、図２〜５に示すように、ムーブメント２０の地板２１の半径よりも大きい。一方、第３実施形態の二次電池２４Ｂの直径は、図１３に示すように、ムーブメント２０の地板２１の半径よりも小さい。
このため、第１実施形態の二次電池２４は、例えば直径２０mm、厚さ１．６mmのコイン型リチウム電池を用いているのに対し、第３実施形態の二次電池２４Ｂは、例えば、直径９mm、厚さ３．７mmのリチウム電池を用いている。
【００７０】
電子時計１Ｂでは、平面サイズの小さい二次電池２４Ｂを用いており、二次電池２４Ｂは、平面アンテナ４０だけでなく、ステップモーター２２１〜２２４や輪列とも平面的に重ならないように配置されている。
また、回路基板２３Ｂは一枚構成であり、１枚の回路基板２３Ｂに、受信部（ＧＰＳ−ＩＣ）５０と、制御部（時計制御用ＩＣ）６１とが実装されている。受信部５０は、回路基板２３Ｂの裏面側に配置され、シールド板２６で囲まれている。
【００７１】
電子時計１Ｂにおいても、耐磁板９１、９２が配置されている。なお、図１３では、耐磁板９２は図示を略しているが、前記電子時計１と同様に、輪列受け２７の裏蓋１２側に配置できる。
このため、アンテナ電極部４２と、外装ケース１０、耐磁板９１、耐磁板９２、太陽電池パネル２５の電極部、二次電池２４Ｂとのそれぞれの最短距離Ｄ１〜Ｄ５の大小関係は、前記実施形態と同様に、Ｄ５＞Ｄ１＞Ｄ３＞Ｄ２＞Ｄ４である。
【００７２】
このような第３実施形態の電子時計１Ｂによれば、直径が小さい二次電池２４Ｂを用いているため、回路基板２３Ｂにおける切欠部２３１Ｂも小さくできる。このため、回路基板２３に比べて回路基板２３Ｂの面積を大きくでき、配線の自由度を向上できて理想的なパターンの引き回しをできる。その上、回路基板２３Ｂにおけるグランド面積も増えるため、平面アンテナ４０における受信性能を向上できる。
さらに、二次電池２４Ｂは、平面サイズが小さいため、ムーブメント２０において、平面アンテナ４０、第１ステップモーター２２１〜第４ステップモーター２２４、第１輪列２２６〜第４輪列と平面的に重ならない位置に配置できる。
【００７３】
また、直径が小さい二次電池２４Ｂは、平面アンテナ４０と離して配置することができる。このため、給電ピンから離れた箇所に二次電池２４Ｂを配置でき、受信感度への影響を抑制できる。
その上、コイン型リチウムイオン電池のような高出力二次電池は、経年劣化によって厚み方向に膨らむが、二次電池２４Ｂは輪列等と平面的に重ならないため、厚さ寸法の増加の影響を受けることがない。
【００７４】
［第４実施形態］
次に、本発明の第４実施形態について、図１４〜１８を参照して説明する。なお、第４実施形態において、前記各実施形態と同一または同様の構成には同一符号を付し、説明を省略する。
第４実施形態の電子時計１Ｃは、図１４に示すように、３つの小窓（サブダイヤル）を有する文字板７０２を備えている。文字板７０２の平面中心には、前記各実施形態と同様に指針軸３Ａが配置され、この指針軸３Ａには秒針３Ｂ、分針３Ｃ、時針３Ｄが設けられている。また、文字板７０２には、指針軸３Ａが設けられた平面中心より、２時方向に円形の第１小窓７７０と指針７７１が設けられ、１０時方向に円形の第２小窓７８０と指針７８１が設けられ、６時方向に円形の第３小窓７９０と指針７９１が設けられ、４時方向に矩形の日窓２Ｂが設けられている。文字板７０２の裏面側には日車５が配置され、日車５は日窓２Ｂから視認可能となっている。
【００７５】
ここで、本実施形態では、第１小窓７７０の指針７７１は、クロノグラフ分針であり、第２小窓７８０の指針７８１は、１／５クロノグラフ秒針である。第３小窓７９０の指針７９１は、モード針およびクロノグラフ時針を兼用している。指針７９１がモード針として用いられる場合は、夏時間の設定（ＤＳＴ：夏時間ＯＮ、○：夏時間ＯＦＦ）と、二次電池２４Ｂの残量を示すパワーインジケーターと、機内モードと、ＧＰＳ時刻情報を受信し内部時刻を修正する測時モードと、ＧＰＳ時刻情報と軌道情報とを受信して内部時刻とタイムゾーンとを修正する測位モードとの各モードの設定を表示する。
【００７６】
電子時計１Ｃでは、図１４に示すように、パッチアンテナである平面アンテナ４０は、指針軸３Ａと外装ケース１０との間であり、文字板７０２における４時位置から５時位置の範囲に配置している。このため、平面アンテナ４０と日窓２Ｂとは平面視で重なる。
なお、平面アンテナ４０の一部は、第１小窓７７０および第３小窓７９０に重なっている。このため、平面アンテナ４０の受信性能を向上させるため、第１小窓７７０や第３小窓７９０は、金属製ではなく、プラスチック等の非導電性部材にて形成することが好ましい。一方、平面アンテナ４０と平面的に重ならない第２小窓７８０は、金属パーツを用いることができるが、他の第１小窓７７０、第３小窓７９０との統一感を得るために、プラスチック等の非導電性部材にて形成してもよい。
また、電子時計１Ｃでは、第３実施形態で使用されたものと同じ、平面サイズの小さな二次電池２４Ｂを用いている。そして、電子時計１Ｃの平面視において、二次電池２４Ｂを文字板７０２の１２時位置、つまり１１時位置から１２時位置を介して１時位置までの範囲に配置している。
【００７７】
図１５は、ムーブメント７２０の概略平面図である。ムーブメント７２０は地板７２１を備え、地板７２１には駆動体７２２が取り付けられている。駆動体７２２は、前記実施形態と同様に、秒針３Ｂを駆動するステップモーター２２１および第１輪列２２６（図１６）と、分針３Ｃを駆動する第２ステップモーター２２２および第２輪列（図示略）と、時針３Ｄを駆動する第３ステップモーター２２３および第３輪列（図示略）と、指針７９１および日車５の駆動に兼用される第４ステップモーター２２４および第４輪列（図示略）とを有する。第４輪列は、日車５を回転する日回し車２２８（図１８）を有する。
さらに、電子時計１Ｃのムーブメント７２０には、指針７７１を駆動する第５ステップモーター２２５および第５輪列（図示略）と、指針７８１を駆動する第６ステップモーター２２７および第６輪列（図示略）とを有する。
【００７８】
これらのステップモーター２２１〜２２５、２２７は、平面アンテナ４０および二次電池２４Ｂと平面的に重ならない領域に配置されている。すなわち、地板７２１の平面中心に設けられた指針軸３Ａに対して、第１ステップモーター２２１は略１０時方向に配置され、第２ステップモーター２２２は略７時方向に配置され、第３ステップモーター２２３は略２時方向に配置されている。
第４ステップモーター２２４は、指針軸３Ａに対して略７時方向であり、第２ステップモーター２２２のさらに外周側に配置され、日車５と平面視で重なる位置に配置されている。
第５ステップモーター２２５は、指針軸３Ａに対して略１時から２時方向であり、第３ステップモーター２２３のさらに外周側に配置され、日車５と平面視で重なる位置に配置されている。
第６ステップモーター２２７は、指針軸３Ａに対して、略１０時から１１時方向であり、第１ステップモーター２２１のさらに外周側に配置され、日車５と平面視で重なる位置に配置されている。
【００７９】
ここで、センター針である秒針３Ｂ、分針３Ｃ、時針３Ｄの中では、針の長さは秒針３Ｂが最も長く、時針３Ｄが最も短く、運針周期（駆動周期）は秒針３Ｂが最も短く、時針３Ｄが最も長い。このため、第１ステップモーター２２１は、最もトルクを出力可能なモーターつまりサイズの大きなモーターを使用することが好ましい。一方、第３ステップモーター２２３は、他のステップモーター２２１、２２２に比べて出力するトルクは小さくてよいため、サイズも小さくできる。そこで、電子時計１Ｃでは、指針軸３Ａの周囲において、配置スペースの確保が難しい二次電池２４Ｂと平面アンテナ４０との間である２時方向に第３ステップモーター２２３を配置し、ステップモーター２２１、２２２は、広い配置スペースを確保できる７時方向から１０時方向の範囲に配置している。
【００８０】
指針７７１が取り付けられる指針軸４Ｂは、第３ステップモーター２２３の外周側であり、日車５の内周側に配置される。指針７８１が取り付けられる指針軸４Ｃは、第１ステップモーター２２１の外周側であり、日車５の内周側に配置される。指針７９１が取り付けられる指針軸４Ｄは、第２ステップモーター２２２の近くであり、日車５の内周側に配置されている。
【００８１】
ムーブメント７２０において、平面視で文字板７０２の３時位置には、リューズ６に接続される巻真７０６が配置され、巻真７０６の周囲には、おしどり等の図示略のスイッチ機構（切換機構）が配置されている。
【００８２】
次に、電子時計１Ｃの外装ケース１０に内蔵される内部構造の詳細について、図１６〜１８をも参照して説明する。なお、図１６は、電子時計１Ｃを、文字板７０２の４時位置および１０時位置を結ぶ線に沿った断面図であり、図１７は、図３と同様に、文字板７０２の１２時位置および６時位置を結ぶ線に沿った断面図である。また、図１８は、図４と同様の分解斜視図である。これらの図１６〜１８においても、前記各実施形態と同様の構成には同一符号を付し、説明を省略する場合がある。
【００８３】
図１６，１７に示すように、外装ケース１０内には、文字板７０２、ムーブメント７２０、平面アンテナ（パッチアンテナ）４０、日車５、ダイヤルリング３２等が収容される。
ムーブメント７２０は、地板７２１、輪列受け（図示略）、地板７２１および輪列受けに支持される駆動体７２２、第１回路基板７２３、第２回路基板７２４、回路押え板７２５、二次電池２４Ｂ、太陽電池パネル２５Ｃ、第１耐磁板９１Ｃ、第２耐磁板９２Ｃを備える。
【００８４】
図１８にも示すように、文字板７０２の裏面には、太陽電池パネル２５Ｃが配置されている。
太陽電池パネル２５Ｃは、前記実施形態の太陽電池パネル２５と同様のものであるが、本実施形態では８個のソーラーセルに分割され、各ソーラーセルが直列に接続されている。なお、各ソーラーセルは、前記実施形態と同様に、ほぼ同じ発電面積に構成されている。このため、１つのソーラーセルでの起電圧は約０．６Ｖ以上であれば、８個のソーラーセルを直列に接続することで、約０．６Ｖ×８段＝約４．８Ｖ以上の起電圧が得られる。
太陽電池パネル２５Ｃには、平面アンテナ４０と平面視で重なる部分に切欠部２５１が形成され、各指針軸３Ａ、４Ｂ、４Ｃ、４Ｄが挿通される孔２５３、２５７、２５８、２５９が形成されている。なお、日窓２Ｂは、前記切欠部２５１に平面的に重なるため、太陽電池パネル２５Ｃは、太陽電池パネル２５の開口２５２に対応する開口を設ける必要が無い。
【００８５】
太陽電池パネル２５Ｃの裏面には、駆動体７２２の各ステップモーター２２１〜２２５、２２７の上側（文字板７０２側）に配置された第１耐磁板９１Ｃが設けられている。第１耐磁板９１Ｃは、耐磁板９１と同様に、平面アンテナ４０に平面的に重なる領域は切り欠かれて切欠部９１５Ｃとされている。この切欠部９１５Ｃは、第２耐磁板９２Ｃの切欠部９２５よりも一回り大きく形成され、前記実施形態の耐磁板９１の切欠部９１５よりも一回り大きく形成されている。このため、切欠部９１５Ｃは、日窓２Ｂと、指針軸４Ｄが挿通される孔２５９にも重なって設けられている。第１耐磁板９１Ｃには、各指針軸３Ａ、４Ｂ、４Ｃが挿通される開口部９１３、９１７、９１８が形成されている。
【００８６】
第１耐磁板９１Ｃの裏面には、日車５が配置されている。日車５は、切欠部９１５Ｃ、切欠部２５１を介して、日窓２Ｂから視認可能とされている。
日車５の裏面には、地板７２１が配置されている。地板７２１には、前記実施形態の地板２１と同じく、駆動体収容部２１Ａ（図１６，１７）、日車配置部２１Ｂ（図１８）、アンテナ収容部２１Ｃ（図１６）が設けられている。
アンテナ収容部２１Ｃへの平面アンテナ４０の配置構造や、平面アンテナ４０の構成は前記実施形態と同じであるため、説明を省略する。
【００８７】
地板７２１の裏面側には図示略の輪列受けが配置されている。輪列受けは、各輪列の軸受を有し、輪列の配置領域に対応して配置されている。
輪列受けの裏面には、第１回路基板７２３（図１８では不図示）および第２耐磁板９２Ｃが配置されている。
第１回路基板７２３は、各ステップモーター２２１〜２２５，２２７のコイルに導通する配線などが設けられ、コネクター７５１を介して後述する第２回路基板７２４に接続されている。１つのステップモーターに対しては、コイルの両端に導通するため２つのコネクター７５１が設けられている。したがって、本実施形態では、６個のステップモーターが配置されているので、計１２個のコネクター７５１が設けられ、第２耐磁板９２Ｃには、各コネクター７５１を配置可能な孔（図示略）が形成されている。
【００８８】
第２耐磁板９２Ｃは、平面アンテナ４０と干渉しないように、切欠部９２５等が形成されている。また、第１回路基板７２３および第２耐磁板９２Ｃにおいて、前記各ステップモーター２２１〜２２５，２２７のコイルが配置される部分は切り欠かれて開口部が形成されている。例えば、図１８に示すように、第２耐磁板９２Ｃには、各コイルが配置される開口部９２６が６箇所に形成されている。
このため、ステップモーター２２１〜２２５，２２７のコイルと、第１回路基板７２３および第２耐磁板９２Ｃとは、平面視で重ならず、前記コイルを開口部９２６に配置することで、ムーブメント７２０の厚さ寸法を小さくできる。
さらに、第１回路基板７２３および第２耐磁板９２Ｃは、二次電池２４Ｂと干渉しないように配置されている。このため、図１８に示すように、第２耐磁板９２Ｃには平面略円形の切欠部９２７が形成されている。
【００８９】
第２耐磁板９２Ｃの裏面には、スペーサー７５０（図１８では不図示）を介して第２回路基板７２４が配置されている。
第２回路基板７２４は、図１８に示すように、平面略円形に形成され、かつ、二次電池２４Ｂが配置される略円形の切欠部７３１が形成されている。この切欠部７３１に二次電池２４Ｂを配置することで、電子時計１Ｃを薄型化できる。第２回路基板７２４の表面側には、平面アンテナ（パッチアンテナ）４０が実装されている。また、第２回路基板７２４の表面側には、ＧＰＳ衛星から受信した衛星信号を処理する受信部（受信用ＩＣ、ＧＰＳモジュール）５０、チップ素子７６１、モーターの駆動を制御する制御用ＩＣ（制御部６１）、電源用ＩＣ７５、メモリー用ＩＣ（図示略）などが実装されている。
【００９０】
スペーサー７５０は、各ＩＣ等を保護する。この際、前記各ＩＣは、少なくとも指針軸３Ａ、４Ｂ，４Ｃ，４Ｄの直下と異なる位置に配置されている。したがって、指針軸３Ａ、４Ｂ，４Ｃ，４Ｄの直下には、ＩＣやチップ素子等は配置されておらず、スペーサー７５０を介して第２回路基板７２４が配置されている。また、第２回路基板７２４の裏面には、回路押え板７２５が配置されている。
このため、指針軸３Ａ、４Ｂ，４Ｃ，４Ｄに指針３（秒針３Ｂ、分針３Ｃ、時針３Ｄ）、指針７７１、７８１、７９１を押し込む際に、その力を、輪列受け、第１回路基板７２３、第２耐磁板９２Ｃ、スペーサー７５０、第２回路基板７２４を介して、回路押え板７２５で支持することができる。
また、回路押え板７２５には、裏蓋１２に導通するための裏蓋導通バネ７２５Ａが一体に形成されている。この裏蓋導通バネ７２５Ａは、回路押え板７２５において複数形成されている。
【００９１】
さらに、図１７に示すように、二次電池２４Ｂの裏蓋側には、電池端子板７４０が配置され、電池端子板７４０は第２回路基板７２４に導通されている。さらに、図示は略すが、太陽電池パネル２５Ｃは、前記第２回路基板７２４に導通され、太陽電池パネル２５Ｃで発電した電力を、第２回路基板７２４を介して二次電池２４Ｂに充電可能に構成されている。
【００９２】
このような電子時計１Ｃにおいても、図１６に示すように、平面アンテナ４０のアンテナ電極部４２と、ケース本体１１との最短距離をＤ１、アンテナ電極部４２と文字板７０２の裏面に配置される第１耐磁板９１Ｃとの最短距離をＤ２、第１回路基板７２３の裏面に配置される第２耐磁板９２Ｃとの最短距離をＤ３とする。
前述のとおり、平面アンテナ４０は上面方向（カバーガラス３１の向かう方向）に指向性が強いため、平面アンテナ４０の受信感度は、前記各金属部品の中で最も厚さ寸法が大きく、平面アンテナ４０よりも時計表面側に配置される外装ケース１０の影響を受けやすい。このため、平面アンテナ４０のアンテナ電極部４２と、外装ケース１０との最短距離Ｄ１を大きくして、アンテナ電極部４２を外装ケース１０から離す必要がある。
【００９３】
また、第１耐磁板９１Ｃ、第２耐磁板９２Ｃも金属製であり、電波を吸収するため、平面アンテナ４０での受信の妨げになる。このため、第１耐磁板９１Ｃ、第２耐磁板９２Ｃも平面アンテナ４０から離した方が受信性能は向上する。一方で、電子時計１Ｃの耐磁性能を向上させるためには、第１耐磁板９１Ｃ、第２耐磁板９２Ｃは、より広い範囲を被覆することが好ましい。
そして、第１耐磁板９１Ｃと、第２耐磁板とを比較すると、アンテナ電極部４２よりもカバーガラス３１側に位置する第１耐磁板９１Ｃのほうが、受信への影響が大きい。このため、第１耐磁板９１Ｃの切欠部９１５Ｃを、第２耐磁板９２Ｃの切欠部９２５よりも広い面積で切り欠くことで、アンテナ電極部４２と第１耐磁板９１Ｃとの最短距離Ｄ２を、アンテナ電極部４２と第２耐磁板９２Ｃとの最短距離Ｄ３よりも大きくしている（Ｄ２＞Ｄ３）。したがって、本実施形態では、Ｄ１＞Ｄ２＞Ｄ３に設定される。
【００９４】
このような第４実施形態の電子時計１Ｃによれば、アンテナ電極部４２と第１耐磁板９１Ｃとの最短距離Ｄ２を、アンテナ電極部４２と第２耐磁板９２Ｃとの最短距離Ｄ３よりも大きくしているので、アンテナ電極部４２よりも上側（カバーガラス３１側）に配置されて、受信性能に影響しやすい第１耐磁板９１Ｃを離して配置できるため、受信性能の低下を防止できる。また、アンテナ電極部４２よりも下側（裏蓋１２側）に配置される第２耐磁板９２Ｃとアンテナ電極部４２との最短距離Ｄ３を、前記最短距離Ｄ２よりも小さくしているので、第２耐磁板９２Ｃの面積を大きくでき、耐磁性能を向上できる。したがって、本実施形態によれば、受信性能および耐磁性能を両立しやすくでき、電子時計１Ｃの小型化も実現できる。
また、アンテナ電極部４２と各耐磁板９１Ｃ、９２Ｃとの最短距離Ｄ２，Ｄ３よりも、アンテナ電極部４２と外装ケース１０との最短距離Ｄ１を大きくしているので、外装ケース１０による受信性能への影響を低減でき、受信性能を確保できる。
【００９５】
さらに、直径が小さい二次電池２４Ｂを用いているので、第３実施形態と同様の効果を奏することができる。例えば、第１回路基板７２３、第２回路基板７２４における配線の自由度を向上でき、理想的なパターンの引き回しをできる。このため、６個のステップモーター２２１〜２２５、２２７を配置して、すべての指針３（秒針３Ｂ、分針３Ｃ、時針３Ｄ）、指針７７１、７８１、７９１を独立して駆動できる多針の多機能時計を容易に実現できる。
また、第２回路基板７２４におけるグランド面積も増えるため、平面アンテナ４０における受信性能を向上できる。さらに、二次電池２４Ｂを、平面アンテナ４０、各ステップモーター２２１〜２２５、２２７、各輪列と平面的に重ならない位置に配置でき、電子時計１Ｃを薄型化できる。
【００９６】
回路基板を、第１回路基板７２３、第２回路基板７２４の２枚で構成し、第１回路基板７２３に、各ステップモーター２２１〜２２５、２２６のコイルと接続される配線を形成し、ＩＣやチップ素子が実装される第２回路基板７２４とは、コネクター７５１で接続している。このため、指針の数が変更されたり、ステップモーター２２１〜２２５、２２７の配置位置が変更された場合に、第１回路基板７２３のみを対応する基板に変更し、第２回路基板７２４は兼用することができる。このため、指針の数やレイアウトを変更する際に容易に対応できる。
【００９７】
第１回路基板７２３および第２回路基板７２４間には、ＩＣやチップ素子等の第２回路基板７２４に実装された素子と干渉しない形状としたプラスチック製のスペーサー７５０を配置しているので、指針軸３Ａ、４Ｂ、４Ｃ、４Ｄに、各指針３，７７１、７８１、７９１を押し込んで取り付ける場合に、指針軸３Ａ、４Ｂ、４Ｃ、４Ｄから輪列を介して第１回路基板７２３、第２耐磁板９２Ｃに加わる力を、スペーサー７５０を介して、第２回路基板７２４、回路押え板７２５等の金属部品で支持できる。したがって、強度の高い金属部品で針押し込み時の押し込み力を支持でき、安定した針取付性を確保できる。
【００９８】
また、回路押え板７２５を加工して設けられる裏蓋導通バネ７２５Ａを、金属製の裏蓋１２に導通させているので、裏蓋１２をアースとして利用でき、耐静電気性能や受信性能を向上できる。特に、本実施形態では、複数の裏蓋導通バネ７２５Ａを設けているので、裏蓋１２を確実にアースとして利用でき、耐静電気性能や受信性能を向上できる。
【００９９】
［他の実施形態］
なお、本発明は前記各実施形態に限定されず、本発明の要旨の範囲内で種々の変形実施が可能である。
【０１００】
例えば、電子時計の外装ケースとしては、図１９に示すように、プラスチック製のケース本体１１Ｃに、金属製のベゼルカバー１１２Ｃを取り付けたものでもよい。この場合、前記ベゼルカバー１１２Ｃが、ケースの金属部を構成する。このような構成であれば、アンテナ電極部４２とケースの金属部であるベゼルカバー１１２Ｃとの最短距離Ｄ１を大きくできるので、平面アンテナ４０の受信感度を向上できる。
【０１０１】
平面アンテナや回路基板の構成は、前記各実施形態に限定されない。例えば、平面アンテナ４０としては、誘電体基材４１の表面に積層されるアンテナ電極部４２をケース本体１１から離れる方向にずらして形成してもよい。
このように平面アンテナ４０のアンテナ電極部４２を金属製の胴１１１から離れるように配置することで、最短距離Ｄ１をより大きくでき、金属製の胴１１１による電波の遮蔽の影響を低減することができる。
【０１０２】
前記各実施形態では、扁平な形状の二次電池２４を用いて、二次電池２４をアンテナ電極部４２から高さ方向に離したり、直径の小さな二次電池２４Ｂを用いて、二次電池２４Ｂをアンテナ電極部４２から平面方向に離すことで、アンテナ電極部４２と二次電池２４、２４Ｂとの最短距離Ｄ５を、アンテナ電極部４２とケース本体１１との最短距離Ｄ１よりも大きく（Ｄ１＜Ｄ５）設定していたが、二次電池２４、２４Ｂのレイアウトによっては、Ｄ１＞Ｄ５となるように設定してもよい。この場合、平面アンテナ４０のアンテナ電極部４２を、ケースの金属部（ケース本体１１）から離して配置できるので、ケース１０の金属部による受信感度の影響を軽減できる。二次電池２４、２４Ｂは、ケース１０に比べて厚さ寸法が小さく、また、電池の時計厚さ方向の位置がアンテナ電極部４２よりも裏蓋１２側に配置されることが多い。このため、電池は、ケース１０に比べて平面アンテナ４０の感度劣化に対する影響が小さい。したがって、平面アンテナ４０のアンテナ電極部４２を、二次電池２４、２４Ｂよりもケース１０から離して配置してＤ１＞Ｄ５とすれば、逆の場合（Ｄ１＜Ｄ５の場合）に比べて、平面アンテナの感度劣化を抑制しやすくできる。
【０１０３】
前記実施形態では、ベゼル１１２は導電性部材で形成されているが、本発明はこれに限定されない。例えば、ベゼル１１２は、非導電性部材であるジルコニア（ＺｒＯ２）などのセラミックにて形成されていてもよい。ジルコニアは、抵抗率が高く電波受信に悪影響を与えないだけではなく、硬く耐傷性にも優れるため、時計の外装部材として優れている。また、ベゼル１１２をセラミック製とすると、ベゼル１１２をアンテナ電極部４２と平面視で重ねることができる。このため、ベゼル１１２がアンテナ電極部４２と平面的に重ならないように胴１１１の直径を大きくする必要が無いため、胴１１１の直径を小さくすることができ、電子時計１の平面サイズを小型化できる。
【０１０４】
前記実施形態では、電子時計１は、日車５、太陽電池パネル２５、ダイヤルリング３２を備えているが、本発明はこれに限定されない。すなわち、電子時計は、日車５、太陽電池パネル２５、ダイヤルリング３２を備えていなくてもよい。
【０１０５】
前記実施形態では、胴１１１および裏蓋１２は、受信部５０のグランド部に接続されているが、本発明はこれに限定されない。すなわち、胴１１１および裏蓋１２は、当該グランド部に接続されていなくてもよい。
前記実施形態では、太陽電池パネル２５は、平面アンテナ４０と平面視で重なる部分に切欠部２５１が形成されているが、太陽電池パネル２５は、切欠部２５１が形成されたものに限定されない。太陽電池パネル２５は、平面アンテナ４０での電波受信に影響しないように構成されていればよく、平面アンテナ４０と平面視で重なる部分に太陽電池パネルが配置されない形状であればよい。たとえば、太陽電池パネル２５に、平面アンテナ４０と平面視で重なる部分のみくり抜いた開口を形成してもよいし、太陽電池パネル２５を半円状に形成し、平面アンテナ４０と平面視で重なる部分に太陽電池パネルを配置しないようにしてもよい。
前記実施形態では、第１耐磁板９１、９１Ｃおよび第２耐磁板９２、９２Ｃを切り欠いて切欠部９１５、９１５Ｃ、９２５を形成するようにしたが、第１耐磁板、第２耐磁板としては、切欠部が形成されたものに限定されない。すなわち、受信への影響を考慮して、平面アンテナ４０との距離が適切になるように、第１耐磁板および第２耐磁板の形状を設定すればよい。
【０１０６】
位置情報衛星の例として、ＧＰＳ衛星Ｓについて説明したが、これに限られない。例えば、位置情報衛星としては、ガリレオ（ＥＵ）、ＧＬＯＮＡＳＳ（ロシア）、Ｂｅｉｄｏｕ（中国）などの他の全地球的公航法衛星システム（ＧＮＳＳ）で利用される衛星が適用できる。また、静止衛星型衛星航法補強システム（ＳＢＡＳ）などの静止衛星や、準天頂衛星等の特定の地域のみで検索できる地域的衛星測位システム（ＲＮＳＳ）などの衛星も適用できる。
【符号の説明】
【０１０７】
１、１Ａ、１Ｂ、１Ｃ…電子時計、２…文字板、３、４、７７１、７８１、７９１…指針、５…日車、１０、１０Ａ…外装ケース、１１、１１Ａ、１１Ｃ…ケース本体、１２…裏蓋、２０、７２０…ムーブメント、２１、７２１…地板、２２、７２２…駆動体、２３、２３Ｂ…回路基板、７２３…第１回路基板、７２４…第２回路基板、２４、２４Ｂ…二次電池、２５、２５Ｃ…太陽電池パネル、２７…輪列受け、３１…カバーガラス、３２…ダイヤルリング、４０…平面アンテナ、４１…誘電体基材、４２…アンテナ電極部、５０…受信部、６０…制御表示部、６１…制御部、６２…駆動回路、９１、９２…耐磁板、９１Ｃ…第１耐磁板、９２Ｃ…第２耐磁板、１１１、１１１Ａ…胴、１１２、１１２Ａ…ベゼル、１１２Ｃ…ベゼルカバー、２１１…ガイド部、２２１〜２２５、２２７…ステップモーター、Ｄ１、Ｄ２、Ｄ３、Ｄ４、Ｄ５…最短距離。
【図１】
0006696195.tif 000002
【図２】
0006696195.tif 000003
【図３】
0006696195.tif 000004
【図４】
0006696195.tif 000005
【図５】
0006696195.tif 000006
【図６】
0006696195.tif 000007
【図７】
0006696195.tif 000008
【図８】
0006696195.tif 000009
【図９】
0006696195.tif 000010
【図１０】
0006696195.tif 000011
【図１１】
0006696195.tif 000012
【図１２】
0006696195.tif 000013
【図１３】
0006696195.tif 000014
【図１４】
0006696195.tif 000015
【図１５】
0006696195.tif 000016
【図１６】
0006696195.tif 000017
【図１７】
0006696195.tif 000018
【図１８】
0006696195.tif 000019
【図１９】
0006696195.tif 000020